(57)【要約】【課題】  氷点下の燃料電池を凍結させずに起動可能とする燃料電池システムを提供する。【解決手段】  反応ガスの反応により発電する燃料電池２と、燃料電池２の作動温度を検出する温度センサ３３と、燃料電池２内にラジエータ液を通流させて燃料電池２を冷却する冷却手段３０と、冷却手段３０の作動を制御するポンプ制御部５１と、を備え、ポンプ制御部５１は、燃料電池２の作動温度に対応して、冷却手段３０の作動と停止を交互に行う燃料電池システム１である。また、ポンプ制御部５１による冷却手段３０の作動時間は、燃料電池２の作動温度が低いほど短く設定されている。【選択図】      図１
2006134669.tif 000002
【特許請求の範囲】
【請求項１】
反応ガスの反応により発電する燃料電池と、当該燃料電池の作動温度を検出する作動温度検出手段と、前記燃料電池内に冷媒を通流させて当該燃料電池を冷却する冷却手段と、当該冷却手段の作動を制御する制御手段と、を備え、
当該制御手段は、前記燃料電池の作動温度に対応して、前記冷却手段の作動と停止を交互に行うことを特徴とする燃料電池システム。
【請求項２】
前記制御手段による前記冷却手段の作動時間は、前記燃料電池の作動温度が低いほど短いことを特徴とする請求項１に記載の燃料電池システム。
【請求項３】
反応ガスの反応により発電する燃料電池と、当該燃料電池の発電により発生した発電電力を検出する発電電力検出手段と、前記燃料電池内に冷媒を通流させて当該燃料電池を冷却する冷却手段と、当該冷却手段の作動を制御する制御手段と、を備え、
当該制御手段は、前記燃料電池の発電開始からの発電電力の積算値に対応して、前記冷却手段の作動と停止を交互に行うことを特徴とする燃料電池システム。
【請求項４】
前記制御手段による前記冷却手段の作動時間は、前記燃料電池の発電電力の積算値が小さいほど短いことを特徴とする請求項３に記載の燃料電池システム。
【請求項５】
前記冷却手段は、前記燃料電池の冷媒流路に一様に、前記冷媒を通流させることを特徴とする請求項１から請求項４のいずれか１項に記載の燃料電池システム。
【発明の詳細な説明】
【技術分野】
【０００１】
本発明は、燃料電池システムに関する。
【背景技術】
【０００２】
近年、燃料電池自動車などの電源として、単セルが複数積層してなる燃料電池スタック（燃料電池という場合もある）の開発が盛んである。燃料電池は発電すると、主としてカソード（空気極）側で水が生成する。生成した水の一部は単セルを構成する固体高分子電解質膜（以下電解質膜という）内を拡散し、アノード（燃料極）側に透過する。また、前記電解質膜の湿潤状態を維持するために、加湿した酸化剤ガス（例えば加湿した空気）を、カソード側に供給する方法などが一般に採用されている。
【０００３】
このように、発電により生成した水や加湿により、燃料電池内を流通するガスの含水量は高くなっている。したがって、ガスの温度が低下すると、ガスに含まれていた水が凝縮する。ゆえに、冬季や寒冷地で燃料電池が使用され、氷点下の燃料電池の起動直後に、氷点下のラジエータ液を循環させて燃料電池を過冷却し過ぎると、生成した水や凝縮した水が、燃料電池内で凍結してしまう場合がある。
【０００４】
このように燃料電池内が凍結してしまうと、燃料電池の本来の出力を得ることができず、これを回避する技術の開発が望まれている。
【０００５】
そこで、特許文献１には、燃料電池に複数の温度検出手段を取り付けて、検出された温度分布と、予め設定された基準温度分布とを比較し、燃料ガス等の流量を調節することが示唆されている。
【０００６】
【特許文献１】特開平７−２４９４２３号公報（段落番号００６４、図１）
【発明の開示】
【発明が解決しようとする課題】
【０００７】
しかしながら、特許文献１には、具体的な調節方法が開示されておらず、その実施は難しいものであった。
【０００８】
そこで、本発明は、氷点下の燃料電池を凍結させずに起動可能とする燃料電池システムを提供することを課題とする。
【課題を解決するための手段】
【０００９】
前記課題を解決するための手段として、請求項１に係る発明は、反応ガスの反応により発電する燃料電池と、当該燃料電池の作動温度を検出する作動温度検出手段と、前記燃料電池内に冷媒を通流させて当該燃料電池を冷却する冷却手段と、当該冷却手段の作動を制御する制御手段と、を備え、当該制御手段は、前記燃料電池の作動温度に対応して、前記冷却手段の作動と停止を交互に行うことを特徴とする燃料電池システムである。
【００１０】
このような燃料電池システムによれば、制御手段が、燃料電池の作動温度に対応して、冷却手段の作動と停止を交互に行うことによって、燃料電池の発電により生成した水などが凍結することを防止できる。したがって、氷点下の燃料電池を凍結させずに、起動することができる。
【００１１】
請求項２に係る発明は、前記制御手段による前記冷却手段の作動時間は、前記燃料電池の作動温度が低いほど短いことを特徴とする請求項１に記載の燃料電池システムである。
【００１２】
このような燃料電池システムによれば、例えば、燃料電池の発電開始直後であって、燃料電池の作動温度が低いほど、冷却手段の作動時間を短くすることで、冷却手段による過冷却を防止することができる。すなわち、冷却手段の作動によって、燃料電池から奪われる熱量を少なくして、燃料電池の暖機の遅延を防止され、燃料電池の低温による不安定な状態を短縮することができる。
【００１３】
請求項３に係る発明は、反応ガスの反応により発電する燃料電池と、当該燃料電池の発電により発生した発電電力を検出する発電電力検出手段と、前記燃料電池内に冷媒を通流させて当該燃料電池を冷却する冷却手段と、当該冷却手段の作動を制御する制御手段と、を備え、当該制御手段は、前記燃料電池の発電開始からの発電電力の積算値に対応して、前記冷却手段の作動と停止を交互に行うことを特徴とする燃料電池システムである。
【００１４】
このような燃料電池システムによれば、制御手段が、発電開始からの燃料電池の発電電力の積算値に対応して、冷却手段の作動と停止を交互に行うことによって、燃料電池の発電により生成した水などが凍結することを防止できる。これにより、氷点下の燃料電池を凍結させずに、起動することができる。
なお、燃料電池の発電電力の積算値は、燃料電池の自己発熱量に比例し、積算値が大きいほど、燃料電池の暖機は進行しているという関係にある。
【００１５】
請求項４に係る発明は、前記制御手段による前記冷却手段の作動時間は、前記燃料電池の発電電力の積算値が小さいほど短いことを特徴とする請求項３に記載の燃料電池システムである。
【００１６】
このような燃料電池システムによれば、発電開始直後など燃料電池の発電電力の積算値が小さいほど、冷却手段の作動時間を短くすることで、冷却手段による過冷却を防止することができる。すなわち、冷却手段の作動によって、燃料電池から奪われる熱量を少なくなり、燃料電池の暖機は促進され、燃料電池の低温による不安定な状態を短縮することができる。
【００１７】
請求項５に係る発明は、前記冷却手段は、前記燃料電池の冷媒流路に一様に、前記冷媒を通流させることを特徴とする請求項１から請求項４のいずれか１項に記載の燃料電池システムである。
【００１８】
ここで、「燃料電池の冷媒流路に一様に、前記冷媒を通流させる」とは、燃料電池内に形成された複雑な冷媒流路の全てに、冷媒がむらなく通流することを意味する。
【００１９】
このような燃料電池システムによれば、冷媒が燃料電池内の冷媒流路を一様に通流するため、燃料電池が局部的に高温になることを防止できる。すなわち、燃料電池の温度の均一化を図ることができる。
【発明の効果】
【００２０】
本発明によれば、氷点下の燃料電池を凍結させずに起動可能とする燃料電池システムを提供することができる。
【発明を実施するための最良の形態】
【００２１】
次に、本発明の一実施形態について、図１、図２を参照して説明する。
参照する図面において、図１は、本実施形態に係る燃料電池システムの構成図である。図２は、本実施形態に係る燃料電池システムの動作を示すフローチャートである。
【００２２】
≪燃料電池システムの構成≫
図１に示すように、本実施形態に係る燃料電池システム１は、燃料電池自動車に搭載されたシステムであり、主として、氷点下での燃料電池自動車の始動時（燃料電池２の起動時）に、ポンプ３２の作動（ＯＮ）と停止（ＯＦＦ）（冷却手段３０の作動（ＯＮ）と停止（ＯＦＦ））を交互に行うことによって、ラジエータ液（冷媒）による燃料電池２の過冷却を防止し、発電により生成した水を凍結させずに、燃料電池２を起動するシステムである。
【００２３】
図１に示すように、燃料電池システム１は、主として、燃料電池２と、燃料電池２のアノード側に燃料ガスとして水素ガス（反応ガス）を供給するアノード系と、燃料電池２のカソード側に酸化剤ガスとして空気（反応ガス）を供給するカソード系と、燃料電池２を冷却する冷却手段３０と、燃料電池２の出力電流・出力電圧を検出する電流電圧検出器４１（負荷検出器）と、これらを制御するＥＣＵ５０（Electronic Control Unit、制御装置）とを備えている。
【００２４】
＜燃料電池＞
燃料電池２（燃料電池スタック）は、主として、電解質膜３の両面をアノード（燃料極）およびカソード（空気極）で挟持してなる単セルが、セパレータを介して、複数積層されることで構成されている。セパレータには、電解質膜３の全面に反応ガスを供給するための溝、各単セルに供給するための貫通孔などが複雑に形成されており、これら溝などがアノード側流路４、カソード側流路５として機能している。アノード側流路４には燃料ガスとしての水素ガス（反応ガス）が流通し、この流通する水素ガスが各アノードに供給されるようになっている。一方、カソード側流路５には、酸化剤ガスとしての空気（反応ガス）が流通し、この流通する空気が各カソードに供給されるようになっている。
そして、水素ガスが各アノードに、空気が各カソードに供給されると、各アノード・各カソードで電気化学反応が生じて、各単セルで所定の電位差が発生し、この単セルが一般に直列で接続されているため、燃料電池２から大きな電力を取り出し可能となっている。
【００２５】
また、前記セパレータには、冷却手段３０のラジエータ液（冷媒）が通流する溝、貫通孔などが形成されており、これら溝などがラジエータ液流路６（冷媒流路）として機能している。
【００２６】
＜アノード系＞
アノード系は、燃料電池２のアノード側に配置し、水素ガスを供給・排出する系であり、水素ガスが貯蔵された水素タンク１１、エゼクタ１２、パージ弁１３、温度センサ１４（燃料ガス温度検出手段）を主に備えている。
【００２７】
まず、水素ガス供給側を説明すると、水素タンク１１は配管１１ａを介して下流側のエゼクタ１２に接続しており、エゼクタ１２は配管１２ａを介して燃料電池２の水素導入口４ａに接続している。そして、水素タンク１１から、エゼクタ１２を介して、燃料電池２内のアノード側流路４に水素ガスを供給可能となっている。また、水素タンク１１とエゼクタ１２との間の配管１１ａには、エゼクタ１２に向かって、遮断弁、減圧弁（ともに図示しない）が設けられており、水素ガスを適宜に遮断、所定に減圧可能となっている。
【００２８】
次に、水素ガス排出側について説明すると、パージ弁１３は、アノード側流路４に連通する水素排出口４ｂに、配管１３ａを介して接続している。配管１３ａはその途中位置で分岐しており、分岐した部分は水素ガス供給側のエゼクタ１２に接続している。これにより、燃料電池２の通常発電時は、パージ弁１３を閉じて、燃料電池２から排出された水素ガス（アノードオフガス、燃料ガス）を水素ガス供給側に戻す（循環させる）ことで水素ガスを効率的に利用可能となっている。一方、発電によりアノードオフガス中の水分が多くなった場合などは、パージ弁１３を開き、含水量の高いアノードオフガスを系外に排出（パージ）可能となっている。
温度センサ１４は、配管１３ａに設けられており、アノードオフガス温度を検出可能となっている。
【００２９】
＜カソード系＞
カソード系は、燃料電池２のカソード側に配置し、空気を供給・排出する系であり、ポンプ２１（コンプレッサ）、温度センサ２２（酸化剤ガス温度検出手段）を主に備えている。
【００３０】
まず、空気供給側について説明すると、ポンプ２１は、配管２１ａを介して、燃料電池２の空気導入口５ａに接続している。そして、ポンプ２１が外気を適宜に取り込み、カソード側流路５に空気を供給可能となっている。また、配管２１ａには、加湿器（図示しない）が設けられており、燃料電池２に供給される空気を所定に加湿可能となっている。
【００３１】
次に、空気排出側について説明すると、配管２１ｂが、カソード側流路５に連通する燃料電池２の空気排出口５ｂに接続している。よって、燃料電池２から排出された空気（カソードオフガス、酸化剤ガス）は、配管２１ｂを介して系外に排出可能となっている。
温度センサ２２は、配管２１ｂに設けられており、カソードオフガス温度を検出可能となっている。
【００３２】
＜冷却手段＞
冷却手段３０は、発電により発熱する燃料電池２が過剰に昇温しないように、ラジエータ液（冷媒）を燃料電池２のラジエータ液流路６に通流させて冷却する手段である。冷却手段３０は、ラジエータ３１（放熱器）と、ポンプ３２と、温度センサ３３（燃料電池の作動温度検出手段）を主に備えている。ラジエータ液は、エチレングリコールなどを主成分する冷媒である。そして、ラジエータ液が、ポンプ３２の稼動によって、ラジエータ３１と燃料電池２との間で循環するように、適所に配管が設けられている。
【００３３】
ポンプ３２は、後記するＥＣＵ５０のポンプ制御部５１と電気的に接続しており、ポンプ制御部５１は、ポンプ３２の作動と停止（冷却手段３０の作動と停止）を制御可能となっている。
【００３４】
温度センサ３３は、燃料電池２から排出されたラジエータ液（以下、排出ラジエータ液）が流通する配管に設けられており、温度センサ３３により排出ラジエータ液の温度（排出ラジエータ液温度Ｔ１）を検出可能となっている。ここで、本実施形態では、排出ラジエータ液温度Ｔ１が、燃料電池２の作動温度に相当するとしている。
また、温度センサ３３は、後記するＥＣＵ５０のポンプ制御部５１と電気的に接続しており、ポンプ制御部５１は、排出ラジエータ液温度Ｔ１（＝燃料電池２の作動温度）を監視可能となっている。
【００３５】
＜電流電圧検出器＞
電流電圧検出器４１は、燃料電池２の出力電流Ｉ、出力電圧Ｖを検出する機器であり、電流計、電圧計などで構成され、燃料電池２の出力端子に接続している。また、電流電圧検出器４１は、後記するＥＣＵ６０のポンプ制御部５１と電気的に接続しており、ポンプ制御部５１は、燃料電池２の出力電流Ｉ、出力電圧Ｖを監視可能となっている。
【００３６】
＜ＥＣＵ＞
ＥＣＵ５０は、燃料電池２の作動温度（＝排出ラジエータ液温度Ｔ１）に対応して、冷却手段３０のポンプ３２を交互に作動／停止する機能を主に有している。ＥＣＵ５０は、ＣＰＵ、ＲＯＭ、ＲＡＭ、各種インタフェイス、電子回路、各種記憶媒体などを含んで構成され、ポンプ制御部５１（制御手段）と、ポンプ制御データ記憶部５２を主に備えている。
【００３７】
［ポンプ制御部］
ポンプ制御部５１は、冷却手段３０の温度センサ３３と電気的に接続しており、排出ラジエータ液温度Ｔ１（＝燃料電池２の作動温度）を監視可能となっている。また、ポンプ制御部５１は、冷却手段３０のポンプ３２と電気的に接続しており、ポンプ３２の作動／停止を適宜に制御可能となっている。さらに、ポンプ制御部５１は、電流電圧検出器４１と電気的に接続しており、燃料電池２の出力電流Ｉ、出力電圧Ｖを監視可能となっている。さらにまた、ポンプ制御部５１は、ポンプ制御データ記憶部５２と電気的に接続しており、後記する「ポンプ制御データＡ」を適宜参照可能となっている。
【００３８】
［ポンプ制御データ記憶部］
ポンプ制御データ記憶部５２には、予備試験等により求められた「ポンプ制御データＡ」が記憶されている。「ポンプ制御データＡ」とは、次の表１に示すように、排出ラジエータ液温度Ｔ１（＝燃料電池２の作動温度）、および、燃料電池２の出力電流Ｉと、冷却手段３０のポンプ３２の作動（ＯＮ）時間／停止（ＯＦＦ）時間とが関連付けられたデータである。
【００３９】
【表１】
2006134669.tif 000003
【００４０】
表１について説明すると、ポンプ３２の作動時間／停止時間は、排出ラジエータ液温度Ｔ１（＝燃料電池２の作動温度）、出力電流Ｉに対応して、ポンプ３２の作動により、夜間などに冷えて氷点下となったラジエータ液で燃料電池２が冷却されても、発電により生成した水などが凍結しない時間に設定されている。
また、本実施形態に係るポンプ３２の作動時間／停止時間は、表１に示すように、作動時間と停止時間との和を３５秒の一定とし、排出ラジエータ液温度Ｔ１と、燃料電池２の出力電流Ｉとに基づいて、ポンプ３２の作動時間と停止時間とがそれぞれ振り分けられている。
さらに、表１に示すように、排出ラジエータ液温度Ｔ１（＝燃料電池２の作動温度）、出力電流Ｉが低いほど、ポンプ３２の作動時間は短く設定されている。これにより、燃料電池２の作動温度が低い場合などにおいて、ラジエータ液の過度の通流を防止し、燃料電池２の過冷却を防止可能となっている。ゆえに、発電により生成した水などの凍結を防止可能となっている。
【００４１】
さらにまた、表１に示すように、ポンプ３２の最短作動時間は、５秒に設定されている。この最短作動時間（＝５秒）は、ポンプ３２の作動により、ラジエータ液が燃料電池２内の複雑なラジエータ液流路６を一様に（＝むらなく）通流する時間である。これにより、ポンプ３２の作動時間が最短作動時間（５秒）であっても、ラジエータ液が、燃料電池２のラジエータ液流路６の全てを一様に通流し、燃料電池２に局部的な高温の部分の発生を防止し、燃料電池２の作動温度の均一化を図ることが可能となっている。また、このように燃料電池２の作動温度が均一化されることで、例えば、電解質膜３の劣化を防止可能となっている。
【００４２】
したがって、ポンプ制御部５１は、排出ラジエータ液温度Ｔ１および出力電流Ｉに基づいて、表１を参照して、ポンプ３２の作動時間／停止時間を選定し、この選定した作動時間／停止時間に従って、ポンプ３２の作動／停止を交互（間欠的）に繰り返して行うことが可能となっている。
【００４３】
また、このようにポンプ３２の作動／停止を交互（間欠的）に行うことにより、ポンプ３２の回転速度を下げ（例えば６００ｒｐｍ→５０ｒｐｍ）、ポンプ３２を連続的に作動する場合に対して、低温のラジエータ液が燃料電池２内を連続的に通流しないため、燃料電池２が過冷却されないようになっている。
【００４４】
≪燃料電池システムの動作≫
次に、本実施形態に係る燃料電池システム１の動作について、図１に加えて、図２を併せて参照しつつ説明する。
【００４５】
氷点下の燃料電池自動車のイグニッションスイッチ（図示しない）がＯＮされると、ＥＣＵ５０が起動する。ＥＣＵ５０の起動と共に、アノード系の前記遮断弁（図示しない）が開放され、カソード系のポンプ２１が稼動し、燃料電池２に水素ガス、空気（反応ガス）が供給される。そして、燃料電池２が発電を開始する（Ｓ１）。また、前記イグニッションスイッチのＯＮに連動して、ポンプ３２が作動し、ラジエータ液が循環する。
ただし、ラジエータ液温度が低い（例えば０℃以下）場合、ポンプ３２を作動し、ラジエータ液を循環させなくても、循環していない状態のラジエータ液温度は、燃料電池２の作動温度と略等しいと推定し、後記するステップＳ３において、この「循環していない状態のラジエータ液温度」と出力電流Ｉとに基づいて、ポンプ３２の作動時間／停止時間を選定する制御を開始する。
【００４６】
そして、ステップＳ２において、ポンプ制御部５１は、温度センサ３３を介して排出ラジエータ液温度Ｔ１（＝燃料電池２の作動温度）を、電流電圧検出器４１を介して燃料電池２の出力電流を、それぞれ検出する。
【００４７】
次いで、ステップＳ３において、ポンプ制御部５１は、ステップＳ２で検出した排出ラジエータ液温度Ｔ１および出力電流Ｉとに基づいて、ポンプ制御データ記憶部５２の「ポンプ制御データＡ」を参照して、ポンプ３２の作動時間／停止時間を選定する。
【００４８】
次いで、ステップＳ４において、ポンプ制御部５１は、選定した作動時間／停止時間に従って、ポンプ３２を制御し、ラジエータ液を燃料電池２内に通流させる。
【００４９】
この通流において、ラジエータ液は、排出ラジエータ液温度Ｔ１（＝燃料電池２の作動温度）、出力電流Ｉに対応して選定されるため、ラジエータ液の通流により、燃料電池２の発電により生成した水などが凍結することはない。
【００５０】
また、ポンプ３２の最短作動時間（５秒）は、ポンプ３２の作動により、ラジエータ液が燃料電池２内の複雑なラジエータ液流路６を一様に通流する時間であるため、燃料電池２に局部的な高温の部分が発生することもない。
【００５１】
次いで、処理はリターンに進んだ後、スタートに戻り、ステップＳ１〜Ｓ４の処理を繰り返す。
【００５２】
すなわち、ステップＳ２において、ポンプ制御部５１は、排出ラジエータ液温度Ｔ１（燃料電池２の作動温度）および出力電流Ｉに対応して、「ポンプ制御データＡ」から適切なポンプ３２の作動時間／停止時間を選定する。そして、ステップＳ３において、ポンプ制御部５１は、再度選定した作動時間／停止時間に従って、ポンプ制御部５１は、ポンプ３２を交互に作動／停止する。
【００５３】
その後、発電が進み、排出ラジエータ液温度Ｔ１（燃料電池２の作動温度）、出力電流Ｉが高くなるに伴って、ポンプ３２の作動時間は長くなる（表１参照）。そして、所定の排出ラジエータ液温度Ｔ１、出力電流Ｉ（例えば、出力電流Ｉ＝５Ａ、排出ラジエータ液温度Ｔ１＝１０℃）を超えると、ポンプ３２の停止時間は０秒となり、ポンプ制御部５１はポンプ３２を連続的に稼動させる。その結果として、燃料電池２は、凍結せず且つ極端な温度分布も発生せずに起動することになる。
【００５４】
このように本実施形態に係る燃料電池システム１によれば、ポンプ制御部５１が、排出ラジエータ液温度（＝燃料電池２の作動温度）、出力電流Ｉに対応して、ポンプ３２を作動／停止するため、氷点下の燃料電池２を凍結させずに起動することができる。
【００５５】
以上、本発明の好適な実施形態について一例を説明したが、本発明は前記実施形態に限定されず、本発明の趣旨を逸脱しない範囲で、例えば以下のような変更をすることができる。
【００５６】
前記した実施形態では、排出ラジエータ液温度Ｔ１（燃料電池２の作動温度）と出力電流Ｉとに基づいて、ポンプ３２の作動時間／停止時間を選定したが、出力電流Ｉを考慮せず、排出ラジエータ液温度Ｔ１のみに基づいて、ポンプ３２の作動時間／停止時間を選定してもよい。
【００５７】
前記した実施形態では、温度センサ３３が検出する排出ラジエータ液温度Ｔ１を燃料電池２の作動温度としたが、燃料電池２の作動温度の検出方法はこれに限定されず、温度センサ１４が検出するアノードオフガス温度や、温度センサ２２が検出するカソードオフガス温度を、燃料電池２の作動温度としてもよいし、温度センサを燃料電池２の筺体に取り付け、この温度センサが検出する温度を燃料電池２の作動温度としてもよい。
【００５８】
前記した実施形態では、ポンプ制御データ記憶部５２に、事前試験等により、排出ラジエータ液温度Ｔ１および燃料電池２の出力電流Ｉと、冷却手段３０のポンプ３２の作動時間／停止時間とが関連付けられた「ポンプ制御データＡ」が記憶されたとしたが、「ポンプ制御データＡ」に代えて、「ポンプ制御データＢ」が記憶されてもよい。「ポンプ制御データＢ」は、次の表２に示すように、発電開始からの燃料電池２の発電力の積算値（Ｗｈ）と、ポンプ３２の作動時間／停止時間とが関連付けられたデータである。
【００５９】
【表２】
2006134669.tif 000004
【００６０】
また、表２に示すように、燃料電池２の発電電力の積算値が小さいほど、ポンプ３２の作動時間は短く設定されている。これにより、燃料電池２の作動温度が低い場合におけるラジエータ液の過度の通流を防止し、燃料電池２の過冷却を防止可能となっている。また、表２におけるポンプ３２の最短作動時間（＝５秒）は、前記した実施形態と同様に、ラジエータ液がラジエータ液流路６を一様に通流する時間である。
なお、このように発電電力の積算値に基づいて、ポンプ３２の作動時間／停止時間を設定する場合、排出ラジエータ液温度Ｔ１を検出する温度センサ３３を省略できる。
【００６１】
この場合、ポンプ制御部５１は、図２のステップＳ２に代えて、図３のステップＳ１２において、電流電圧検出器４１で検出された出力電流、出力電圧から燃料電池２の発電力を求め、さらに、発電開始からの発電電力の積算値を算出する。
【００６２】
次いで、ポンプ制御部５１は、図２のステップＳ３に代えて、図３のステップＳ１３において、前記算出した発電電力の積算値に基づいて、前記表２に示す「ポンプ制御データＢ」を参照して、ポンプ３２の作動時間／停止時間を選定する。
そして、ポンプ制御部５１は、第１実施形態と同様に、この選定した作動時間／停止時間に基づいて、ポンプ３２を制御する。
【００６３】
前記した実施形態では、冷却手段３０のポンプ３２を交互に作動／停止することで、冷却手段３０を作動／停止するとしたが、その他に例えば、冷却手段３０のラジエータ液が流通する配管に開閉弁を設け、この開閉弁を適宜に開／閉することによって、冷却手段３０を作動／停止する構成としてもよい。
【図面の簡単な説明】
【００６４】
【図１】本実施形態に係る燃料電池システムの構成図である。
【図２】本実施形態に係る燃料電池システムの動作を示すフローチャートである。
【図３】変形例に係る燃料電池システムの動作を示すフローチャートである。
【符号の説明】
【００６５】
１      燃料電池システム
２      燃料電池
１４、２２  温度センサ
３０    冷却手段
３１    ラジエータ
３２    ポンプ
３３    温度センサ（作動温度検出手段）
４１    電流電圧検出器
５０    ＥＣＵ
５１    ポンプ制御部（制御手段）
５２    ポンプ制御データ記憶部
【図１】
2006134669.tif 000005
【図２】
2006134669.tif 000006
【図３】
2006134669.tif 000007